(57)【要約】【課題】  従来の告知放送システムでは、有線放送サービス、例えばＣＡＴＶ網を用いて放送を受信する為、災害等により信号伝送路の切断や、放送局側の設備の障害によりＣＡＴＶ信号を供給できない等の問題があった。また自動切り替え方式の受信機の場合には、夜間に加入者宅内で聴取不要の放送が騒音及び雑音として発生するという問題もあった。【解決手段】  本発明は、ＦＭ放送のステレオ信号に制御信号及び音声信号を乗せて電波を送り出す放送手段１１と、端末機２のＦＭ検波部を通してＬ信号及びＲ信号に復調するＦＭ放送受信手段２１と、制御信号と前記端末機の識別番号との照合をする照合手段２２と、一致信号により音声出力部２３ｄを起動させ、音声信号を音声出力部からスピーカーに伝えて告知放送を行う出力手段２３により解決できる。【選択図】図１
2006191347.tif 000002
【特許請求の範囲】
【請求項１】
ＦＭ放送のステレオ信号であるＬ信号及びＲ信号の一方に制御信号を、他方に音声信号を乗せて電波を送り出す放送手段と、
端末機のＦＭ検波部を通して前記Ｌ信号及びＲ信号に復調するＦＭ放送受信手段と、
前記制御信号と前記端末機の識別番号との照合をする照合手段と、
前記照合手段で一致信号が出力されると、該一致信号により音声出力部を起動させて、前記音声信号を前記音声出力部からスピーカーに伝えて告知放送を行う出力手段とを具備することを特徴とするＦＭ放送を利用した告知放送システム。
【請求項２】
前記照合手段は制御信号検出部とマイクロコンピュータとメモリとで構成され、
前記制御信号検出部で前記制御信号はデコードされ、メモリに記憶された前記端末機の識別番号と前記制御信号との一致を前記マイクロコンピュータで照合し、
前記マイクロコンピュータからの前記一致信号を出力することを特徴とする請求項１に記載の告知放送システム。
【請求項３】
前記制御信号はトーン信号を用いて構成することを特徴とする請求項２に記載の告知放送システム。
【請求項４】
前記放送手段はコミュニティＦＭ局を用いることを特徴とする請求項１に記載の告知放送システム。
【請求項５】
前記制御信号及び前記端末機の識別信号にグループ信号を含ませて、前記端末機をグループごとに限定して放送することを特徴とする請求項１に記載の告知放送システム。
【請求項６】
前記端末機に選局スイッチを設け、通常のＦＭ放送を聞くときは前記ＦＭスイッチをオンして前記音声出力部に電源を供給することを特徴とする請求項１に記載の告知放送システム。
【発明の詳細な説明】
【技術分野】
【０００１】
本発明は、告知放送を行う告知放送システムに関し、特にコミュニティＦＭ放送を用いて告知放送を行ない、コミュニティＦＭ放送に告知放送が割り込める告知放送システムに関するものである。
【背景技術】
【０００２】
従来、各地域に密接した情報を提供する手段として、例えばＣＡＴＶ（ｃａｂｌｅ  ｔｅｌｅｖｉｓｉｏｎ）網を利用してＣＡＴＶシステムの加入者宅に設置された告知放送受信機から天災や災害時等の緊急情報を提供する告知放送がある。
【０００３】
例えば、信号伝送路を介して入力される告知放送の搬送波の有無を検出するＣＡＴＶ検出手段と、断線等により無搬送波を検出した場合には信号伝送路から自己が備える空中線に切り替え、選局操作に応じて局部発振周波数を可変制御する同調手段とを備える告知放送受信機がある。前記告知放送受信機は信号伝送路の断線等の線路障害が生じた場合には、同調手段が信号伝送路に替えて自己が備える空中線に切り替え、空中線を介して一般放送を受信すべく選局操作に応じて局部発振周波数を可変制御する。そしてＣＡＴＶ共聴ラインＬが切断された場合には、ＣＡＴＶシステムと切り離して個別に受信動作をすることができる告知放送受信機に関する技術は、特許文献１に記載されている。
【０００４】
また例えば、域内告知情報放送主体が住民に告知すべきテキスト情報をコンピュータに入力する入力手段と、入力されたテキストデータと域内住民各戸に付された送信宛先を蓄積するデータ蓄積手段と、テキストデータを電子メールとして送信可能な送信手段と、送信されてきた電子メールを受信可能な住民側にある受信手段と、電子メールを蓄積できる蓄積手段と、任意に選択できる電子メール選択手段と、電子メールを音声に変換して放音することが可能な音声生成手段と、音量調整手段を含む放音手段と、送信されてきた電子メールの内容に応じて住民側から域内告知情報放送主体へ応答可能な応答手段とを備えた域内告知情報放送装置に関する技術は、特許文献２に記載されている。
【特許文献１】特開平９−１６２８２５号公報
【特許文献２】特開２００３−３２４５４９号公報
【発明の開示】
【発明が解決しようとする課題】
【０００５】
しかしながら、上記の如く従来の告知放送システムでは、有線放送サービス、例えばＣＡＴＶ網に受信機を接続して放送を受信している為、風水害や地震等の災害により信号伝送路であるＣＡＴＶ共聴ラインが切断されると、ＣＡＴＶ信号が供給されなくなる。
【０００６】
その為ＣＡＴＶ信号が供給されない場合には、携帯可能な受信機で、かつ乾電池のバックアップにより告知放送の受信可能な状態であっても、告知放送を受信出来ないという問題があった。
【０００７】
また、ＣＡＴＶ放送局側の放送局設備に障害が発生した場合には、告知放送を放送することが出来ないという問題もあった。
【０００８】
そして、災害や工事等の場合には、ＣＡＴＶ信号が瞬時または短時間の断／復旧を繰り返すこともある為、ＣＡＴＶ信号の切断時にアンテナ受信に切り替え、直接ＦＭ放送を受信して聴く自動切り替え方式では、放送局側で意図しない発声や不意に受信機から最大音量の発声が断続する場合もある。
【０００９】
また、自動切り替え方式の場合には、夜間に加入者宅内で聴取不要の放送が騒音及び雑音として発生されるという問題があった。
【００１０】
そして、受信機を設置していない非加入者の場合には、一般のＦＭラジオを用いてＦＭ放送を受信し、告知放送を聴くことも可能であるが、常時ＦＭラジオの電源を起動しておかなければならないという問題があった。
【００１１】
その為、信号伝送路の線路障害に無関係であり、放送局設備も可搬可能であり、緊急時には強制的に告知放送を受信して聴取することができる告知放送システムの提供が望まれていた。
【課題を解決するための手段】
【００１２】
本発明は、上述した問題点に鑑みて成されたものであり、ＦＭ放送のステレオ信号であるＬ信号及びＲ信号の一方に制御信号を、他方に音声信号を乗せて電波を送り出す放送手段と、
端末機のＦＭ検波部を通して前記Ｌ信号及びＲ信号に復調するＦＭ放送受信手段と、
前記制御信号と前記端末機の識別番号との照合をする照合手段と、
前記照合手段で一致信号が出力されると、該一致信号により音声出力部を起動させて、前記音声信号を前記音声出力部からスピーカーに伝えて告知放送を行う出力手段とを具備することで解決するものである。
【００１３】
また、前記照合手段は制御信号検出部とマイクロコンピュータとメモリとで構成され、
前記制御信号検出部で前記制御信号はデコードされ、メモリに記憶された前記端末機の識別番号と前記制御信号との一致を前記マイクロコンピュータで照合し、
前記マイクロコンピュータからの前記一致信号を出力することにより、端末機の起動を制御できることを特徴とするものである。
【００１４】
更にまた、前記制御信号はトーン信号を用いて構成することにより、端末機の識別番号と制御信号の一致できることを特徴とするものである。
【００１５】
更にまた、前記放送手段はコミュニティＦＭ局を用いることにより、信号伝送路の路線障害に左右することなく告知放送を放送できることを特徴とするものである。
【００１６】
更にまた、前記制御信号及び前記端末機の識別信号にグループ信号を含ませて、前記端末機をグループごとに限定して放送することを特徴とするものである。
【００１７】
更にまた、端末機に選局スイッチを設け、通常のＦＭ放送を聞くときは前記ＦＭスイッチをオンして前記音声出力部に電源を供給することを特徴とする。
【発明の効果】
【００１８】
上述したように、本発明の告知放送システムはステレオ信号の一方に制御信号を、他方に音声信号を乗せることにより１波で告知放送を放送でき、また端末機もＦＭ放送局側から制御することができる。また、それによりＣＡＴＶ網を用いた告知放送システムのように共聴線の路線障害を気にせず告知放送を行うことができる。
【００１９】
例えば、照合手段で端末機の識別番号と制御信号の一致を照合し、一致信号を出力することにより、端末機の音声出力部電源をＦＭ放送局側で起動することが可能となる。また、それにより端末機の音声出力部を告知放送のときに起動させるので、端末機の消費電力を小さくできる。
【００２０】
また、トーン信号を用いて制御信号を構成することにより、制御命令をＦＭの電波に乗せて送出することが可能となる。
【００２１】
更に、放送手段にコミュニティＦＭ局を用いることによりワイヤレスとなるので、伝送路の路線障害に左右されることなく放送でき、また地域に密着した情報をいつでも放送することができる。
【００２２】
更にまた、制御信号及び識別番号にグループ信号を追加することにより、端末機をグループごとに選択して告知放送を行う限定した放送が実現できる。
【００２３】
更にまた、端末機に選局スイッチを備えることにより、選局スイッチがオフのときに告知放送を受信すると、一致信号により音声出力部に電源を供給して告知放送を聞くことができる。コミュニティＦＭ局の通常の放送を聞くときは選局スイッチをオンにして音声出力部に電源を供給している。そのときに告知放送があれば告知放送に強制的に切り替わり受信することができる。
【発明を実施するための最良の形態】
【００２４】
以下に、本発明における実施の形態について、図１〜４を参照にして詳細に説明する。
【００２５】
告知放送とは行政情報、職域放送、教育機関や公共機関からの伝達、趣味サークルのお知らせ、各種地域情報、緊急放送を速やかに、かつ的確に告知できる放送であり、本発明はＦＭ放送、例えばコミュニティＦＭ放送を用いた告知放送システムに適用できる。
【００２６】
図１は、本発明の一実施の形態である告知放送システムの構成図である。
【００２７】
図１に示すごとく、告知放送システムは、コミュニティＦＭ放送局１、端末機２とから構成される。
【００２８】
コミュニティＦＭ放送局１は、市町村などの一部の地域を対称としたＦＭ局であり、地域に密着した情報を、微弱な電波を利用して放送する放送局である。地域に密着した情報とは、災害や緊急時においてリアルタイムで提供できる停電や断水の状況、及び救援活動等に関する情報や、地域住民が番組製作に参加して提供する祭りやバザー等の地域の特色を生かした情報などである。また、コミュニティＦＭ放送局１は、ＦＭ電波を送り出す放送手段１１を含む。
【００２９】
放送手段１１とは、コミュニティＦＭ放送局１がコミュニティＦＭ放送を用いて、ステレオ信号であるＬ信号及びＲ信号の一方に制御信号を、他方に音声信号を乗せて電波を送り出す手段である。
【００３０】
制御信号とは、コミュニティＦＭ放送局１側で端末機２の制御を行う信号である。例えば、端末機２の音声出力部の電源を告知放送の時にコミュニティＦＭ放送局１側で起動したり、緊急放送時には端末機２の音声出力部を最大音量レベルへと設定したり、告知放送の内容で端末機２をグループごとに選択して限定した放送を行ったりすることが可能になる。
【００３１】
音声信号とは、告知する放送内容を乗せた信号である。例えば、災害や緊急時の停電や断水の状況及び救援活動等に関する情報、祭りやバザーといった地域に密着した情報、趣味サークルの活動連絡等の音声信号が乗っている。
【００３２】
端末機２は、選局スイッチ２ａ、アンテナ３、スピーカー４、電源５、ＦＭ放送受信手段２１、照合手段２２、出力手段２３とから構成される。
【００３３】
選局スイッチ２ａは、通常、ＦＭ放送を受信するためのスイッチであり、端末機２の筐体の前面パネルに位置している。選局スイッチ２ａをオンにした場合には、コミュニティＦＭ局の通常の放送を聴取でき、また放送中に告知放送の制御信号を受信すると緊急放送または一斉放送の告知放送へと切り替わり、コミュニティＦＭ放送に割り込む形で告知放送が優先的に放送される。一方、選局スイッチ２ａをオフにした場合には、夜間や外出等の任意で通常の放送を聞かない時間に、告知放送の制御信号を受信すると、一致信号により音声出力部の電源が供給され告知放送を聞くことができる。一致信号とは、制御信号と端末機２の識別番号とを照合し、一致した場合に出力される信号である。
【００３４】
尚、アンテナ３、スピーカー４、電源５、ＦＭ放送受信手段２１、照合手段２２、出力手段２３については後で詳細に説明する。また、アンテナ３は端末機２の上部に、スピーカー４は端末機２の筐体の前面パネルに位置しているが、これらは端末機の側面や背面等に位置しても良い。また電源５は端末機２の一部に電池ケースを設けたり、外部のＡＣ／ＤＣアダプタを用いたりして電源を供給する。
【００３５】
次に図２は、本発明の一実施の形態である端末機の構成を説明するブロック図である。
【００３６】
図２に示すごとく、端末機２はアンテナ３、スピーカー４、電源５、ＦＭ放送受信手段２１、照合手段２２、出力手段２３とから構成される。
【００３７】
アンテナ３は、ロッドアンテナを装備し、コミュニティＦＭ放送局１が放送するＦＭ周波数帯域の信号を直接受信している。ロッドアンテナで受信した信号は、バンドパスフィルタを介して高周波増幅回路２１ａへと送り出される。バンドパスフィルタとは、ある周波数範囲の周波数の信号だけを通過させ、それ以外の周波数の信号を減衰させるフィルタである。
【００３８】
スピーカー４は、ＦＭ放送受信手段２１で受信した信号の音声を出力する装置である。
【００３９】
電源５は、交流電流から直流電流へと変換するＡＣ／ＤＣアダプタであり、ＤＣ９Ｖの入力に基づいて直流駆動電圧を発生するレギュレータである。また乾電池を電池ケースに装着して電源を供給することも可能であり、ＡＣ／ＤＣアダプタと乾電池の両方を同時に入力することも可能である。更にまた端末機２は、電源５から電源が供給されている間中待機状態である為、ＦＭ放送受信手段２１及び照合手段２２に常時電源を供給することができる。
【００４０】
尚、停電時には、ダイオードのスイッチングにより乾電池側から電源が供給され、バックアップされる。
【００４１】
ＦＭ放送受信手段２１は、アンテナ３より受信した電波を検波してＬ信号及びＲ信号に復調する手段であり、高周波増幅回路２１ａ、ＰＬＬ回路２１ｂ、局部発振回路２１ｃ、混合回路２１ｄ、中間周波増幅回路２１ｅ、ＦＭ検波部２１ｆ、復号器２１ｇから構成される。
【００４２】
高周波増幅回路２１ａは、感度アップを図る為に高周波の増幅を行う回路である。増幅した後、次段の処理回路へと供給する。
【００４３】
ＰＬＬ回路２１ｂとは、入力信号や基準周波数と、出力信号との周波数を一致させる電子回路である。まずＰＬＬ回路内の基準発振器の周波数と電圧制御発振器の周波数を位相比較し、次に周波数に差がある場合には電圧制御発振器を制御して、差を無くすというように動作する。また発振周波数から位相比較へ、位相比較から電圧制御へ、電圧制御から発振周波数へとループ状に制御することで、正確に同期した周波数の信号を発信する。
【００４４】
尚、基準周波数発振器には安定度の高い水晶発振器を使用し、水晶発振器だけでは高い周波数を発振させることが困難な為、分周器により比較的低い周波数に変換して周波数比較を行うことにより安定した高周波信号を作成している。また出力周波数は、分周器の分周率で変更可能な為、受信周波数に選局することが可能である。
【００４５】
局部発振回路２１ｃは、電圧制御発振器であり、発振周波数はＰＬＬシンセサイザの出力により制御される。そして受信周波数に対応し、安定した６５．３〜７９．３ＭＨｚの発振動作を行う。
【００４６】
尚、発振周波数は、可変容量ダイオード（バリキャップ・ダイオード）により変化し、また容量は、逆方向電圧をＰＬＬシンセサイザの出力電圧により制御される。
【００４７】
混合回路２１ｄは、２つの信号を混合する回路である。局部発振回路２１ｃからの信号とアンテナ３で受信して高周波増幅された信号とを印加し２つの元の信号に加え、これら２つの信号の和周波数と差周波数に変換して出力する。
【００４８】
中間周波増幅回路２１ｅは、中間周波信号を増幅する回路である。混合回路２１ｄから送り出された高周波を中間周波信号（１０．７ＭＨｚ）まで逓倍している。
【００４９】
ＦＭ検波部２１ｆは、周波数弁別したあとにステレオ・コンポジット信号に変換を行う。
【００５０】
復号器２１ｇとは、ステレオ・コンポジット信号から差信号（Ｌ−Ｒ）及び和信号（Ｌ＋Ｒ）を得て、両信号を加減算することによりＬ信号及びＲ信号を取り出す。
【００５１】
照合手段２２は、制御信号と端末機に保持された識別番号との照合を行う手段であり、制御信号検出部２２ａ、メモリ２２ｂ、マイクロコンピュータ２２ｃから構成される。
【００５２】
制御信号検出部２２ａは、告知放送の場合には、ステレオ信号の一方に制御命令を乗せて送り出される為、そのステレオ信号より取り出すトーン信号を用いて制御命令の検出を行う。制御命令は、トーン入力周波数より１からＤまでの１６種類の組み合わせで構成される。また、各デジットはトーン入力周波数の２周波の組み合わせからデコードされる。
【００５３】
尚、デコードされた信号はマイクロコンピュータ２２ｃで処理され、出力手段２３の制御を行う。
【００５４】
メモリ２２ｂとは、コンピュータ内でデータやプログラムを記憶する為の装置である。電気的に内容を書き換えることができるＥＥ−ＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）を利用し、自局番号ＩＤや放送エリア（グループ）データ等を保持している。
【００５５】
尚、メモリ２２ｂへの書き込み及び読み出しは、制御命令信号によりマイコンピュータ２２ｃから制御される。
【００５６】
マイクロコンピュータ２２ｃとは、機器の制御の為に必要なコンピュータの機能を１つのＩＣ（Ｉｎｔｅｇｒａｔｅｄ  Ｃｉｒｃｕｉｔ）に集積し、制御の為のプログラムも内蔵した専用のコンピュータである。例えば、制御信号と端末機の識別番号との照合をし、一致した場合には一致信号を出力手段２３へと出力したり、ＰＬＬ回路の分周器の分周率を設定したり、メモリへの書き込み及び読み出しを制御したりしている。
【００５７】
出力手段２３は、一致信号により音声の出力部を起動させ、アンテナ３で受信した音声信号を出力部からスピーカー４に伝えて放送を行う手段であり、録音／再生回路２３ａ、スイッチ回路２３ｂ、ボリューム回路２３ｃ、音声出力部電源２３ｄ、音声出力部２３ｅとから構成される。
【００５８】
録音／再生回路２３ａは、音声信号の録音及び再生を行う回路である。録音を行う場合には、ステレオ信号からの音声を入力し、フラッシュメモリへと書き込みを行う。また再生を行う場合には、操作スイッチを押下して再生モードとし、スイッチ回路２３ｂへ音声信号を出力する。
【００５９】
スイッチ回路２３ｂは、ステレオ信号の音声信号と録音／再生回路２３ａの再生回路からの音声信号とを入力して、音声信号を音声出力部２３ｅへ出力するルートの選択を行う。出力するルートには２通りあり、可変抵抗器を介して音声出力部２３ｅへ出力する音量可変のルートと、可変抵抗器を通さずに音量を最大にして出力するルートがある。
【００６０】
尚、スイッチ回路２３ｂのアナログスイッチは、マイクロコンピュータ２２ｃの制御により切り替えることができる。
【００６１】
ボリューム回路２３ｃは、手動の可変抵抗器を操作することにより音声信号レベルを調整する回路である。緊急時には、制御命令信号によりマイクロコンピュータ２２ｃはスイッチ回路２３ｂを操作し、ボリューム回路２３ｃをバイパスする。それによりボリューム位置に関係なく最大音量レベルの音声信号としてスピーカー４から出力することができる。
【００６２】
音声出力部電源２３ｄは、制御命令信号を元にマイクロコンピュータ２２ｃによりオン／オフの制御が成され、それにより音声出力部２３ｅを起動／停止することができる。音声出力部電源２３ｄがオンの場合には、音声はスピーカー４より出力されるが、音声出力部電源２３ｄがオフの場合には、音声は出力されない。しかし、端末機２にある選局スイッチ２ａをオンにした場合には、音声出力部電源２３ｄがオンとなる為、スイッチ回路２３ｂからボリューム回路２３ｃを通って通常のコミュニティＦＭ放送を聴くことができる。
【００６３】
音声出力部２３ｅは、ボリューム回路２３ｃから供給される音声信号を増幅する装置であり、増幅された信号はスピーカー４より放音される。
【００６４】
次に、図３、図４を用いて本実施形態における告知放送システムの処理を説明する。図３は本発明の一実施の形態である選局スイッチと告知放送との動作を説明するフローチャートであり、図４は本発明の一実施の形態である告知放送を受信した場合の動作を説明するフローチャートである。
【００６５】
例えば、端末機２の選局スイッチ２ａがオフの状態で、アンテナ３より告知放送の制御信号及び音声信号を受信した場合を説明する。尚、コミュニティＦＭ放送局１はステレオ信号のＲ信号に制御信号を、またＬ信号に音声信号を乗せて告知放送を送り出しているが、Ｒ信号に音声信号を、またＬ信号に制御信号を乗せても良い。
【００６６】
図３に示す如く、まず端末機２の選局スイッチ２ａがオンであるか、オフであるかの判断（この場合は、オフ）が行われる（ステップＳ１）。
【００６７】
選局スイッチ２ａがオフの場合は（ステップＳ１のオフ）、任意でコミュニティＦＭ局の放送を聞いていない状態であり、告知放送以外は端末機２からは放音はされない。一方、選局スイッチ２ａがオンの場合は（ステップＳ１のオン）、端末機２を用いてコミュニティＦＭの通常放送を聴取している状態である（ステップＳ２）。
【００６８】
その後、告知放送の受信・照合・出力処理が行われる（ステップＳ３）。尚、これは告知放送がコミュニティＦＭ放送局１より送り出された時に行われる処理であり、後で図４を用いて詳細に説明する。
【００６９】
そして告知放送が終了後、端末機の選局スイッチ２ａがオンであるか、オフであるかの判断を再度行う（ステップＳ４）。
【００７０】
選局スイッチ２ａがオフの場合は（ステップＳ４のオフ）、端末機２の音声出力部電源２３ｄがオフへと制御され、端末機２は待機状態となる（ステップＳ６）。一方、選局スイッチ２ａがオンの場合は（ステップＳ４のオン）、もとのコミュニティＦＭの通常放送に戻る（ステップＳ５）。
【００７１】
また図４に示す如く、まず告知放送の受信・照合・出力処理は、コミュニティＦＭ放送局１が送り出した電波を端末機２のアンテナ３で受信する（ステップＳ３０１）。
【００７２】
その後、ＦＭ放送受信手段２１の高周波増幅回路２１ａはアンテナ３から入力された制御信号を高周波増幅し、次段の混合回路２１ｄへ供給する。また、ＰＬＬ回路２１ｂ及び局部発振回路２１ｃは安定化した当該コミュニティＦＭ固定局発信号を混合回路２１ｄへ供給する。そして、混合回路２１ｄで高周波増幅された制御信号と安定化されたＦＭ固定局発信号とをミキシングし、２つの信号の差周波数を発生する。
【００７３】
その後バンドパスフィルタを介して中間周波信号（１０．７ＭＨｚ）を中間周波増幅回路２１ｅで増幅し、ＦＭ検波部２１ｆでステレオ・コンポジット信号へと変換し、復号器２１ｇにてステレオ・コンポジット信号から差信号（Ｌ−Ｒ）及び和信号（Ｌ＋Ｒ）を得る。そして両信号を加減算し、Ｌ信号及びＲ信号を取り出す（ステップＳ３０２）。
【００７４】
その後、照合手段２２の制御信号検出部２２ａではＲ信号を受け、制御信号がデコードされる。デコードされた制御信号は、メモリ２２ｂに登録された端末機２の識別番号と照合される（ステップＳ３０３）。
【００７５】
その後、ステップＳ３０３の照合結果が一致しているか否かを判断する（ステップＳ３０４）。一致している場合には（ステップＳ３０４のＹｅｓ）、出力手段２３へ一致信号を出力する（ステップＳ３０５）。一方、一致していない場合には（ステップＳ４のＮｏ）、この告知放送を受信する端末機でないと判断され、告知放送の受信・照合・出力処理は終了する。
【００７６】
一致信号を受信した出力手段２３は、スイッチ回路２３ｂへは音量の調整制御信号を送り、音声出力部電源２３ｄへはアンプの起動信号を送る（ステップＳ３０６）。
【００７７】
これにより端末機２の音声出力部電源２３ｄはオン状態となる。
【００７８】
その後、コミュニティＦＭ放送局１が送り出した電波を端末機２のアンテナ３で受信する（ステップＳ３０７）。
【００７９】
その後、ステップ３０２と同様に高周波増幅された告知放送の音声信号と、ＰＬＬ回路２１にて安定化された当該コミュニティＦＭ固定局発信号とをミキシングして２つの信号の差周波数を発生し、続くバンドパスフィルタを介して中間周波信号（１０．７ＭＨｚ）を中間周波増幅回路２１ｅで増幅する。そして、ＦＭ検波部２１ｆでステレオ・コンポジット信号へと変換し、復号器２１ｇにてステレオ・コンポジット信号から差信号（Ｌ−Ｒ）及び和信号（Ｌ＋Ｒ）を得て、両信号を加減算することでＬ信号及びＲ信号を取り出す（ステップＳ３０８）。
【００８０】
その後、Ｌ信号から告知放送の音声信号を受け、出力手段２３のスイッチ回路２３ｂへと供給する（ステップＳ３０９）。
【００８１】
それにより、スイッチ回路２３ｂはマイクロコンピュータ２２ｃにより設定された音量レベルまでボリューム回路２３ｃを制御する。そしてボリューム回路２３ｃは、スイッチ回路２３ｂの指示により最大音量レベルまたはボリューム設定位置レベルでの音声信号を音声出力部２３ｅへと供給する。そして音声出力部２３ｅよりスピーカー４で告知放送が放音される（ステップＳ３１０）。
【００８２】
その後、コミュニティＦＭ放送局１が送り出した電波を端末機２のアンテナ３より受信する。これによりＦＭ信号のＲ信号から告知放送の終了制御信号を取得する為、告知放送の受信・照合・出力処理は終了する（ステップＳ３１１）。
【００８３】
尚、端末機２の選局スイッチ２ａをオンとした状態で告知放送を受信した場合は、強制的に告知放送へと切り替わり、そして告知放送の終了制御信号を受信することにより通常のコミュニティＦＭ放送へと戻る。
【００８４】
最後に、本発明の他の実施の形態について説明する。
【００８５】
前述した制御信号及び前記端末機の識別信号にグループ信号を含ませることで、端末機を複数のグループごとに分けられる。そして放送局側から電波に乗せる制御信号のグループ信号を登録や変更することでグループごとに限定した告知放送も実現できる。
【図面の簡単な説明】
【００８６】
【図１】本発明の一実施の形態である告知放送システムの構成図である。
【図２】本発明の一実施の形態である端末機の構成を説明するブロック図である。
【図３】本発明の一実施の形態である告知放送システムの選局スイッチに係る動作を説明するフローチャートである。
【図４】本発明の一実施の形態である告知放送システムの動作を説明するフローチャートである。
【符号の説明】
【００８７】
１        コミュニティＦＭ放送局
２        端末機
２ａ      選局スイッチ
３        アンテナ
４        スピーカー
５        電源
１１      放送手段
２１      ＦＭ放送受信手段
２１ａ    高周波増幅回路
２１ｂ    ＰＬＬ回路
２１ｃ    局部発振回路
２１ｄ    混合回路
２１ｅ    中間周波増幅回路
２１ｆ    ＦＭ検波部
２１ｇ    復号器
２２      照合手段
２２ａ    制御信号検出部
２２ｂ    メモリ
２２ｃ    マイクロコンピュータ
２３      出力手段
２３ａ    録音／再生回路
２３ｂ    スイッチ回路
２３ｃ    ボリューム回路
２３ｄ    音声出力部電源
２３ｅ    音声出力部
【図１】
2006191347.tif 000003
【図２】
2006191347.tif 000004
【図３】
2006191347.tif 000005
【図４】
2006191347.tif 000006